(57)【特許請求の範囲】
【請求項１】
脚領域（１５）、尻領域（１６）及び少なくとも１つのポケット（１）を含むズボンにおいて、
使用中ズボン着用者の臀部領域上に重ね合わされるようにズボン（１４）の尻領域（１６）にポケット（１）が適用されており、
前記ポケット（１）は、
上縁部（２）、上縁部（２）と反対側の下縁部（３）、各々下縁部（３）と上縁部（２）の間に介在させられた側縁部（４、５）と、
分解形態を画定する、第１の末端路（８ａ）、第２の末端路（８ｂ）及び中央路（８ｃ）により画定された第１の縁部（８）を具備する第１の部分（６）、及び第１の末端路（９ａ）、第２の末端路（９ｂ）及び中央路（９ｃ）により構成された第２の縁部（９）を具備する第２の部分（７）とを具備し、
前記中央路（８ｃ）及び前記中央路（９ｃ）の展開は先端が尖っており、
前記第１の縁部（８）と前記第２の縁部（９）は対面しており、
第１の縁部（８）と第２の縁部（９）に沿って配置されたポケットの組立形態を画定する縫い目（１０）と、を含み、
前記第１の部分（６）及び第２の部分（７）は、第１の縁部（８）及び第２の縁部（９）が少なくとも接点（１１）において相互接触状態で一平面内に配置されている場合、少なくとも２つの第１の末端路（８ａ、９ａ）が、接点（１１）からポケットの側縁部（４）に向かって拡幅する分離ゾーン（１２）によって互いに分離されているような形で平坦な展開を具備しており、縫い目（１０）が、ポケットに湾曲した三次元構造を与えるように、接点（１１）において第２の縁部（９）との関係において第１の縁部（８）を重ね合せ、分離ゾーン（１２）において第２の縁部（９）との関係において第１の縁部（８）を接近させることを介して第１の部分（６）と第２の部分（７）の融合を容易にし、
前記尻領域（１６）が、頂点（２１）、下フラップ（１９）及び上フラップ（２０）により画定された切断部を含み、頂部（２１）から出発して相互に発散しているフラップ（１９、２０）が、第２の縫い目（２２）を用いて下フラップ（２０）上に上フラップ（１９）を重ね合わせることによって連結されており、
前記ポケット（１１）が尻領域（１６）に適用され、縫い目（１０）を第２の縫い目（２２）上に重ね合わせ、縫い目（１０）が第２の縫い目（２２）の延長部分を画定することを特徴とするズボン。
【請求項２】
縫い目（１０）が、第１及び第２の末端路（８ａ、９ａ）の接触を生成するまで接点（１１）との関係において第１の末端路（８ａ）を第２の末端路（９ａ）に向かって回転させることによって、分離ゾーン（１２）において第２の部分（７）に対する第１の部分（６）の融合を容易にすることを特徴とする、請求項１に記載のズボン。
【請求項３】
第１の部分（６）及び第２の部分（７）は、第１の縁部（８）及び第２の縁部（９）が中央路（８ｃ、９ｃ）の間の接点により画定された接触セグメント（１３）上で相互に接触した状態で一平面上に配置されている場合、第１及び第２の末端路（８ａ、９ａ）（８ｂ、９ｂ）が接触セグメント（１３）から第１の側縁部（４）に向かって拡幅する第１の分離ゾーン（１２）によってならびに接触セグメント（１３）からポケットの第２の側縁部（５）まで拡幅する第２の分離ゾーン（１２’）によって互いに分離されているような形で平坦な展開を具備しており、縫い目（１０）が第２の部分（７）に対する第１の部分（６）の融合を容易にし、接触セグメント（１３）における中央路（８ｃ、９ｃ）の重ね合せ及びそれぞれの分離ゾーン（１２、１２’）における第２の縁部（９）のそれぞれの末端路（９ａ、９ｂ）の接近を容易にして、ポケットに湾曲した三次元構造を与えることを特徴とする、請求項１に記載のズボン。
【請求項４】
接触セグメント（１３）が第１の接触端部（１３ａ）と第２の接触端部（１３ｂ）を具備することを特徴とする、請求項３に記載のズボン。
【請求項５】
縫い目（１０）が、第１の及び第２の分離ゾーン（１２、１２’）において、第１及び第２の末端路（８ａ、８ｂ）の接触を生成するまで、第１の接触端部（１３ａ）との関係において第２の縁部（９）の第１の末端路（９ａ）に向かって第１の縁部（８）の第１の末端路（８ａ）をそして第２の接触端部（１３ｂ）との関係において第２の縁部（９）の第２の末端路（９ｂ）に向かって第１の縁部（８）の第２の末端路（８ｂ）を回転させることによって、第２の部分（７）に対する第１の部分（６）の融合を容易にすることを特徴とする、請求項４に記載のズボン。
【請求項６】
第１の部分（６）及び第２の部分（７）が、縫い目（１０）により接合されている２つの材料部片に由来する、請求項１又は３に記載のズボン。
【請求項７】
第１の分離ゾーン（１２）は、ポケットが非組立形態にある場合に縁部（８、９）のそれぞれの末端路（８ａ、９ａ）の接近により画定され、末端路（８ａ、９ａ）は、接点（１１）において最小距離（ｄ）をそして側縁部（４）において最大距離（Ｄ）を画定していることを特徴とする、請求項１に記載のズボン。
【請求項８】
第１の分離ゾーン（１２）及び第２の分離ゾーン（１２’）は、ポケットが非組立形態にある場合に、それぞれの末端縁部（８ａ、９ａ）及び（８ｂ、９ｂ）の接近によって画定され、第１の末端路（８ａ、９ａ）は第１の接触端部（１３ａ）における最小距離（ｄ）及び第１の側縁部（４）における最大距離（Ｄ）を画定し、第２の末端路（８ｂ、９ｂ）は第２の接触端部（１３ｂ）における最小距離及び第２の側縁部（５）における最大距離（Ｄ）を画定していることを特徴とする、請求項３に記載のズボン。
【発明の詳細な説明】
【技術分野】
【０００１】
本発明は、衣類が着用された場合に着用者の体の突出している部分上に重ね合わされる位置で衣類上に適用できるポケットにおいて、前記突出部分の輪郭が三次元曲面により描かれているポケットに関する。
【０００２】
本発明のポケットは、ズボンの着用者の臀部上に重ね合わされるようにズボンの後部部分上に、又は胸部上に重ね合わされるようにジャケット、ブラウス又はベストの前方部分上に適用するのに特に適している。
【０００３】
本発明のさらなる目的は、ポケットを製作するための方法である。
【０００４】
本発明はさらに、上述のポケットが適用されている衣類、特にズボン、ブラウス又はジャケットに関する。
【背景技術】
【０００５】
もっとも一般的なタイプのズボンとしては、ジーンズがあり、これは実用的で、着用適性がありかつファッション性が高いことから、男女を問わず特に好まれている。
【０００６】
公知のタイプのジーンズには後部ポケットが備わっており、その各々が、下側の布までその縁部に沿って縫われた単一の布片で製作されている。したがって、ジーンズの上に縫製された後、ポケットは、実質的に平坦な形態をとる。
【０００７】
ジーンズを着用した場合、布の変形能にも関わらず、後部ポケットは、その平坦な形態のため、臀部の曲面に完全に適応することができない。こうしてユーザーはポケットにより臀部が押しつぶされる感触をもつかもしれず、その快適性は低下する。さらに、後部ポケットは臀部を平坦化し、これは見た目にも魅力的でないものであり得る効果をもたらす。
【０００８】
平坦な布片で作られユーザーの胸部位置でジャケット又はシャツの上に適用されたポケットについても、同様の不具合が発生する。
【発明の概要】
【発明が解決しようとする課題】
【０００９】
本発明の目的は、衣類が着用された時点でユーザーの体から突出する曲面上に位置づけされるよう、衣類上への適用に適するようにポケットを改善することにある。
【００１０】
さらなる目的は、衣類上に適用されたポケットがユーザーの体の曲面に及ぼす押しつぶし作用を削減することにある。
【００１１】
本発明のさらなる目的は、ユーザーの体の曲面上に位置づけされるのに適したポケットが備わった衣類の快適性を増大させることにある。
【００１２】
さらなる目的は、ユーザーの体の曲面に位置づけされた時点で表面の三次元曲率を増強して心地よい美的効果を生み出す衣類用ポケットを提供することにある。
【課題を解決するための手段】
【００１３】
本発明によって、ポケットが適用される衣類上に、ユーザーの胸部又は臀部の曲率に適応できるポケットを得ることができる。
【００１４】
こうして、衣類は、ポケットの位置においてさえきわめて着用適性が高く、ユーザーは、公知のタイプのポケットの場合に時として該当する押しつぶされる感覚を感じることが全くないことから、ユーザーの快適性を増大させることが可能となる。
【００１５】
さらに、本発明のポケットは、ユーザーのからだの曲線を強調して、ポケットが適用される衣類を美的観点からみて極めて評価の高いものにする。
【００１６】
本発明は、非限定的な例を用いてそのいくつかの態様を例証する添付図面を参照することでより良く理解され機能させられるものである。
【図面の簡単な説明】
【００１７】
【図１】非組立形態で本発明に係るポケットの第１の部分及び第２の部分の平坦な展開を示す図である。
【図２】一平面上に接触状態で配置された図１の第１の部分及び第２の部分を示す図である。
【図３】図２の第１の部分と第２の部分を接合させることにより得られ、ポケットの組立形態を実施する、ポケットの斜視図である。
【図４】非組立形態にある図１のポケットの第２の実施形態の第１の部分及び第２の部分の平坦な展開を示す図である。
【図５】平面上に接触状態で配置された図４の第１の部分及び第２の部分を示す図である。
【図６】第１の部分及び第２の部分を接合することにより得られ、こうして組立形態を実施する、図４のポケットの第２の実施形態の斜視図である。
【図７】ズボンの１本の脚部の後方部分を形成するための布片の平坦な展開を示す図である。
【図８】図１のポケット及び図７のズボンの後方部分を示す分解斜視図である。
【図９】図１のポケットを含むズボンの１本の脚部の後方部分を示す斜視図である。
【図１０】ブラウスの前方部分の平坦な展開を示す図である。
【図１１】図４のポケットを含むブラウスの前方部分を示す斜視図である。
【発明を実施するための形態】
【００１８】
図１〜６を参照すると、１は全体として本発明の目的であるポケットを表す。
【００１９】
特に図１、２、４、５を参照すると、ポケット１は、非組立形態で示されており、一方図３、６を参照すると、ポケットは組立形態で示されている。
【００２０】
両方の形態において、前記ポケットは、上縁部２、下縁部３及び第１及び第２の側縁部４、５によって画定されている。
【００２１】
上記の縁部２、３、４、５は、ポケット１が組立形態にある場合には閉じられているポケット１の周囲輪郭Ｐを画定する。
【００２２】
上縁部２は、下縁部３の反対側にある。
【００２３】
上縁部２は、ポケット１の非組立形態において、軸Ｘ−Ｘに沿った線形延長部分を具備する。
【００２４】
これに対して、上縁部２は、ポケット１の組立形態において、円弧Ｋ−Ｋに沿った弓形延長部分を具備する。
【００２５】
下縁部３は、ポケット１が呈する両方の形態において、１点に収束する２つの区域により画定された破線になった進展を具備し、Ｖ字形をとる。
【００２６】
２つの側縁部４及び５は互いに反対側にあり、上縁部１と下縁部３の間に置かれ、これらを共に連結させる。
【００２７】
非組立形態では、第１及び第２の側縁部４、５は互いに平行ではない。
【００２８】
より厳密には、非組立形態において、第２の側縁部５は垂直な展開を具備し、一方第１の側縁部４では、下縁部３から出発した第２の側縁部５との関係において離隔してゆく方向の展開を具備する。
【００２９】
換言すると、第１の側縁部４は、下縁部３から出発して、第２の側縁部５から遠ざかりながら上縁部２に向かって延在する。
【００３０】
組立形態では、第１及び第２の側縁部４、５は、添付図面３、６を見ればわかるような平行な形態を呈している。
【００３１】
ポケット１は、非組立形態にある場合、第１の部分６及び第２の部分７によって画定されている。
【００３２】
図２、４を見ればわかるように、第１及び第２の部分６、７は、２枚の別個の布片から調達されている。
【００３３】
本発明の保護の範囲を断念することなく、第１及び第２の部分６、７は互いに１区分の中では接合させ、他の区分内では分離させることができ、こうして本明細書全体を通して扱っている非組立形態及び組立形態を実施することができる。
【００３４】
前記第１及び第２の部分６、７はそれぞれに、対面する第１の縁部８及び第２の縁部９を含む。
【００３５】
前記縁部８、９は、互いに相補的に整形されている。
【００３６】
第１の縁部８は、第１の末端路８ａ、第２の末端路８ｂそしてこれらの末端路８ａ、８ｂの間にありこれらを統合している中央路８ｃを含む。
【００３７】
同様にして、第２の縁部９も、第１の末端路９ａ、第２末端路９ｂ及びこれらの末端路９ａ、９ｂの間にありこれらを統合する中央路９ｃを含んでいる。
【００３８】
ポケット１を完成させるために、第１の縁部８及び第２の縁部９に沿って配置され、ポケットの組立形態を画定する縫い目１０が存在する。
【００３９】
ポケットの前記組立形態は、本発明の保護の範囲を断念することなく、例えば接着、ベルクロ（登録商標）又はジッパーなどの他の任意のタイプの連結を用いて得ることができる。
【００４０】
第１及び第２の縁部８、９の相補的整形は、２つの部分６、７を整列させる間に、以下で説明する特定の条件を実現するようなものである。
【００４１】
図２を見ればわかるように、第１の部分６及び第２の部分７は、第１の縁部８及び第２の縁部９が少なくとも１つの接点１１において相互接触した状態で一平面上に配置されている場合に、各々それぞれの縁部８、９に属する少なくとも２つ末端路８ａ、９ａが、前記接点１１からポケット１の側縁部４に向かって拡幅する分離ゾーン１２内で互いに分離されるような形で、平坦な展開を具備する。
【００４２】
接点１１において、末端路８ａ、９ａの間の距離ｄは最小であり、一方側縁部４において、末端路８ａ、９ａの間の距離Ｄは最大である。
【００４３】
接点における最小距離ｄは、約０ｍｍである。
【００４４】
側縁部４における最大距離Ｄは、５ｍｍ〜４０ｍｍの間に含まれ、好ましくは１５ｍｍである。
【００４５】
図２を見ればわかるように、ポケット１の縁部８、９の形態は、接点１１が実現された場合には第１の末端路８ａ、９ａが発散し、一方第２の末端路８ｂ、９ｂが一致するようなものである。
【００４６】
この特定の形態において、中央路８ｃ、９ｃの展開は先端が尖っている。
【００４７】
分離ゾーン１２における縫い目１０は、ポケットに対し湾曲した三次元構造を与えるような形で縁部８ａ、９ａの少なくとも２つの末端路を接近させることによって、第２の部分７に対する第１の部分６の接合を容易にする。
【００４８】
より厳密に言うと、縫い目１０は、接点１１において縁部９上に縁部８を重ね合わせることならびに分離ゾーン１２において縁部９に対して縁部８を接近させることにより第２の部分７に対する第１の部分６の接合を増強させて、湾曲した三次元構造を与える。
【００４９】
縫い目１０を用いた第２の部分７に対する第１の部分６の接合は、ポケット１の凸状形状を生み出す。すなわちそれは、それが載っている平面（これは図３の図面中では紙のシートの平面である）から浮出る。
【００５０】
分離ゾーン１２において実施された縫い目１０に関しては、この接合は、末端路の接触を生成するまで、接点１１との関係において第１の末端路８ａを第２の末端路９ａに向かって回転させることによって行われる。
【００５１】
縫い目１０によって得られる効果は図３に見ることができ、この図では、ポケット１は組立形態で示され、ここにはポケット１の三次元側面すなわちシートから突出するポケットの凹面が見られる。
【００５２】
ポケット１の第２の実施形態が示されている図４の実施形態を参照すると、縁部８、９の構造は、第１の実施形態においてポケットにより得られるものに比べてさらに際立った効果を実現するようなものである。
【００５３】
図５を見ればわかるように、縁部８、９の接近は、接点１１に代わる接触セグメント１３、及び第１及び第２の分離ゾーン１２、１２’を生成する。
【００５４】
前記接触セグメント１３は、この場合線形展開を呈する中央路８ｃ、９ｃの相互接点によって得られる。
【００５５】
前記接触セグメント１３は、第１の端部１３ａ及び第２の端部１３ｂにより画定される。換言すると、図４の実施例において、第１及び第２の部分６、７は平坦な延長部分を具備し、このため第１の縁部８及び第２の縁部９が相互接触平面上に配置されている場合、縁部の中央路８ｃ、９ｃとの接触が発生することになる。
【００５６】
中央路８ｃ、９ｃを接近させることによる接触セグメントの生成は、第１の分離部分１２と第２の分離部分１２’が出現する状況を促進する。
【００５７】
第１の分離部分１２は、第１の末端路８ａ、９ａの側面に合わせることで得られる。
【００５８】
前記第１の分離部分１２は、接触セグメント１３から側縁部４に向かって拡幅する傾向をもつ。
【００５９】
換言すると、接触セグメント１３において、第１の端部１３ａでは、末端路８ａ、９ａの間の距離ｄは最小であり、一方側縁部４では、末端路８ａ、９ａの間の距離Ｄは最大である。同様にして、第２の分離部分１２’は、第２の末端路８ａ、９ｂの側面を合わせることによって得られる。
【００６０】
前記第２の分離部分１２’は、接触セグメント１３から側縁部５に向かって拡幅する傾向をもつ。
【００６１】
換言すると、接触セグメント１３の第２の端部１３ｂにおいて、第２の末端路８ｂ、９ｂの間の距離ｄは最小であり、一方側縁部５では、末端路８ｂ、９ｂの間の距離Ｄは最大である。
【００６２】
この場合もまた、上述の通り、接触セグメント１３の端部１３ａ、１３ｂにおける最小距離は０ｍｍであり、両方の側縁部における最大距離Ｄは５ｍｍ〜４０ｍｍの間に含まれ、好ましくは１５ｍｍである。
【００６３】
第１の部分１２の拡幅は、第２の部分１２’の拡幅に対し鏡面反射的（specular）である。
【００６４】
より厳密には、第１の部分１２の拡幅は、第２の部分１２’の拡幅の展開方向とは反対の方向に展開する。
【００６５】
図４〜６の形態においては、縫い目１０は、中央路８ｃ及び９ｃを重ね合わせること及び第１及び第２の分離部分１２、１２’それぞれにおける第１の末端路８ａ、９ａ及び第２の末端路８ｂ、９ｂの接近により第２の部分７に対する第１の部分６の接合を容易にする。
【００６６】
特に縫い目１０の実施中の、第１及び第２の末端路８ａ、８ｂ、９ａ、９ｂの接近に関しては、第１の縁部８の第１の末端路８ａは、末端路の間に接触を生成するまで接触セグメント１３の第１の端部１３ａとの関係において第１の末端路９ａ又は第２の縁部９に向かって回転させられ、第１の縁部８の第２の末端路８ｂは、末端路の間に接触を生成するまで接触セグメント１３の第２の端部１３ｂとの関係において第２の縁部９の第２の末端路９ｂに向かって回転させられる。
【００６７】
この場合もまた、縫い目１０を用いた第２の部分７に対する第１の部分６の接合は、ポケット１の凸状形状をひき起こす。すなわち、それが載っている平面（図６の図面中、これは紙のシートの平面である）から浮出す。
【００６８】
第１の実施形態にしたがって実施されるポケットの製作方法は、
第２の部分７に第１の部分６を接近させ、第１の縁部を少なくとも接点１１において第２の縁部９と接触した状態に置き、それぞれ第１の末端路８ａ、９ａにおいて第１の縁部８と第２の縁部９の間に接点１１からポケット１の側縁部４に向かって拡幅する分離ゾーン１２を生成するステップと、
それぞれの縁部８、９で第２の部分７に第１の部分６を連結し、側縁部４、５の間に延在する連結を容易にし、接点１１において第２の縁部９上に第１の縁部を重ね合わせ、分離ゾーン１２において第２の縁部９に第１の縁部８を接近させるステップと、
を含む。
【００６９】
連結ステップは、好ましくは縫い目１０を作製することによって実施される。
【００７０】
縫い目１０は、少なくとも１つの接点１１において縁部８、９を接近させることによって得られる縁部８、９の重ね合わせを用いることによって、及び第１の末端路８ａ、９ａを接近させ、それらを互いに接触した状態で縫製することによって作製される。
【００７１】
特に末端路８ａ、９ａにおいて作製された縫い目１０に関しては、縫い目１０は。接点１１との関係において第２の縁部９に向かって第１の縁部８を回転させることで得られた縁部を接近させることによって縫製される。
【００７２】
換言する、作業者は、接点１１において部分的縫製を実施し、その後分離ゾーン１２において縫製作業を終える。
【００７３】
図２及び３を見ればわかるように、部分的縫製は、第２の側縁部５から出発して接点１１に達するまで行われる。
【００７４】
第２の末端路９ａに向かって第１の末端路８ａを回転させることにより漸進的に縁部８を縁部９に接近させ、それらを最終的に互いに接触する状態に置くことで、縫い目１０を完成するための後続する縫製が接点１１から出発して第１の側縁部４に向かって行われる。
【００７５】
図４〜６に示されているポケット１の第２の実施形態の場合、方法は、連結ステップの実施方法が違うことのみを理由として、上述の方法と異なるものである。
【００７６】
縁部８、９の接近は、中央路８ｃ、９ｃを互いに接触した状態に配置しこうして接触セグメント１３を画定することによって行われる。
【００７７】
縁部８、９の構造は、接触セグメント１３の上流側に第１の分離部分１２を生成し、接触セグメント１３の下流側に第２の分離部分１２’を生成するようなものである。
【００７８】
縫い目１０を適用する場合の連結ステップは、接触セグメント１３を画定するように互いに重ね合わせられた中央路８ａ、９ｃにおいてまず縫い目１０を細分割し、次に、第１の末端路８ａ、９ａと第２の末端路８ｂ、９ｂを接近させて最終的にそれらを互いに接触させた状態で縫製することによって行われる。
【００７９】
分離部分１２、１２’の縫製中、第１の縫製域は、第１の端部１３ａから出発して第１の側縁部４に向かって、回転を用いて第１の末端路８ａを第２の末端路９ａに漸進的に接近させることで行われ、次に第２の縫製域が、第２の端部１３ｂから第２の側縁部５に向かって、回転により第１の末端路８ｂを第２の末端路９ｂに向かって漸進的に接近させて行われる。接触セグメント１３の相対的端部１３ａ、１３ｂとの関係における第１の部分６に属する第１及び第２の末端路８ａ、８ｂの回転は、第２の部分７のそれぞれの末端路９ａ、９ｂとの接触を実現する。
【００８０】
図１〜６のポケットが備わった考えられる衣類に関連して、図７はズボン１４の後方部分又は脚部を示す。ズボン１４は、ズボン着用者の臀部上に重ね合わせるための尻領域１６及び脚部領域１５を含む。
【００８１】
ポケットは、図７に一点鎖線で表わされた尻領域１６において縫製される。
【００８２】
尻領域には上フラップ１９と下フラップ２０により画定される切断部１８が備わっている。
【００８３】
尻領域６のほぼ中心にある頂点２１から出発して、上フラップ１９及び下フラップ２０は互いに発散している。
ズボン１４が製作される場合、上フラップ１９は、下フラップ２０上に重ね合わせて第２の縫い目２２を実現することによって縫製される。
【００８４】
前記縫い目は、着用者の臀部にズボンがよりよく密着できるようにするため、尻領域１６上で凸面を生成するように実現される。
【００８５】
ズボン１４の尻領域１６上にポケット１を適用する間、図９に示されている通り、第１の縫い目１０が第２の縫い目の延長部分となるような形で第２の縫い目２２上に縫い目１０を重ね合わせることに特に注意が払われる。
【００８６】
このようにして、２つの縫い目１０、２２の重ね合わせにより、ズボン１４の尻領域１６の凸性を増強させることができる。
【００８７】
図１〜６のポケットが備わったさらなる衣類は、図１０〜１１に示されているシャツ２３である。
【００８８】
前記シャツ２３は、上方に頚領域２４そして下方には接合線３１において頚領域２４に連結されている胸領域２５を具備する。
【００８９】
胸領域２５には、開口部２６が備わっており、これは頂点２７を具備し、そこから２つの側面が分岐する。
【００９０】
前記側面２８、２９はそれぞれ、頂点２７から出発して互いに発散する第１の部分２８ａ及び第２の部分２９ａを具備し、これらの後に互いに収束する第３の部分２８ｂ及び第４の部分２９ｂが続く。
【００９１】
前記側面２８、２９は互いに接合されて、その基部から胸領域２５に沿ってその頂部に達するまで展開するペンス（pence）３０を実現する。
【００９２】
ポケット１は、接合線３１の下に位置設定され、ペンス３０上に重ね合わされる、ポケット１は、頂点にある。図１０では、ポケット１は、一点鎖線により表わされ、図１１ではシャツ２３に縫製されている。
【００９３】
ポケット及びその製作方法は、衣料品部門において重要な利点を提供する。
【００９４】
快適性の観点からみると、ズボン１４であるかシャツ２３であるかに関わらず、ポケットが具備された衣類は、ユーザーの体曲面すなわち臀部及び胸部に局在化する押しつぶされた感覚を低減させる。
【００９５】
さらに美的観点から見て、この衣料は、着用者の体に対し着用適性の増加を提供しながら、曲線美を際立たせる傾向をもつ。
【図１】
0005780868.tif 000002
【図２】
0005780868.tif 000003
【図３】
0005780868.tif 000004
【図４】
0005780868.tif 000005
【図５】
0005780868.tif 000006
【図６】
0005780868.tif 000007
【図７】
0005780868.tif 000008
【図８】
0005780868.tif 000009
【図９】
0005780868.tif 000010
【図１０】
0005780868.tif 000011
【図１１】
0005780868.tif 000012